(57)【要約】【課題】側板取付金具としても連結金具としても使用することができる電気電子機器収納用箱における側板取付金具を提供する。【解決手段】電気電子機器収納用箱の箱体間の連結金具として兼用できる側板取付金具である。断面Ｌ字状に折曲成形された第１垂直辺１と第２垂直辺２とからなり、第１垂直辺１は電気電子機器収納用箱の縦フレーム１１に取付けるための第１取付孔３を備えるとともに、側板取付用のラッチとの係合部７を備える。第２垂直辺２は縦フレーム１１に取付けるための第２取付孔４を備えるとともに、連結ボルトの貫通孔８を備える。折曲中心線５から第１取付孔３までの距離Ｌ１を、折曲中心線６から第２取付孔４までの距離Ｌ２よりも長くした。【選択図】図１
2014022392.tif 000002
【特許請求の範囲】
【請求項１】
電気電子機器収納用箱の箱体間の連結金具に兼用できる側板取付金具であって、
断面Ｌ字状に折曲成形された第１垂直辺と第２垂直辺とからなり、
第１垂直辺は電気電子機器収納用箱の縦フレームに取付けるための第１取付孔を備えるとともに、側板取付用のラッチ又はねじとの係合部を備え、
第２垂直辺は電気電子機器収納用箱の縦フレームに取付けるための第２取付孔を備えるとともに、連結ボルトの貫通孔を備え、
第１垂直辺と第２垂直辺との折曲中心線から第１取付孔までの距離を、折曲中心線から第２取付孔までの距離よりも長くしたことを特徴とする電気電子機器収納用箱における側板取付金具。
【請求項２】
第２垂直辺を縦フレームに取付けたときには、第１垂直辺は縦フレームの外面よりも内側に位置し、
第１垂直辺を縦フレームに取付けたときには、第２垂直辺は縦フレームの外面と同位置もしくは外側に位置する構造であることを特徴とする請求項１記載の電気電子機器収納用箱における側板取付金具。
【発明の詳細な説明】
【技術分野】
【０００１】
本発明は、フレーム式の電気電子機器収納用箱における側板取付金具に関するものであり、更に詳細には、電気電子機器収納用箱の箱体間の連結金具に兼用できる側板取付金具に関するものである。
【背景技術】
【０００２】
フレーム式の電気電子機器収納用箱は、縦フレーム、横フレーム、奥行フレームによって骨格を形成し、内部に電気・電子機器を収納するとともに、前面及び背面には開閉扉を設け、左右側面は縦フレームに取付けられた側板取付金具を利用して側板を取付けた構造が一般的である。
【０００３】
側板の取付けはパネルラッチと呼ばれる固定具によって行われることが多い。このパネルラッチは側板の裏面（内面）に設けられており、その係合爪を縦フレームに取付けられた側板取付金具の係合部に係合させて側板を固定している。このとき側板を縦フレームの外面に密着させるために、側板取付金具は縦フレームの外面よりも内側に配置しておく必要がある。
【０００４】
また、フレーム式の電気電子機器収納用箱をデータセンターで用いる場合には、隣接する電気電子機器収納用箱どうしを連結配置することが一般的である。この場合には側板を取外し、隣接する電気電子機器収納用箱の縦フレームどうしを連結金具で固定（特許文献１）する。この連結金具は縦フレームの外面よりも内側に位置すると連結金具どうしを密着させることができなくなるから、縦フレームの外面と同位置もしくは外側に位置することが望まれる。
【０００５】
このように、側板取付金具も連結金具もともに電気電子機器収納用箱の縦フレームに取付けて使用される金具であるが、取付け位置を異ならせる必要があるために２種類の金具を製作しなければならず、部品点数が増加するという問題があった。
【先行技術文献】
【特許文献】
【０００６】
【特許文献１】特開２００３−７８２６６号公報
【発明の概要】
【発明が解決しようとする課題】
【０００７】
従って本発明の目的は上記した従来の問題点を解決し、側板取付金具としても連結金具としても使用することができる電気電子機器収納用箱における側板取付金具を提供することである。
【課題を解決するための手段】
【０００８】
上記の課題を解決するためになされた本発明は、電気電子機器収納用箱の箱体間の連結金具に兼用できる側板取付金具であって、断面Ｌ字状に折曲成形された第１垂直辺と第２垂直辺とからなり、第１垂直辺は電気電子機器収納用箱の縦フレームに取付けるための第１取付孔を備えるとともに、側板取付用のラッチ又はねじとの係合部を備え、第２垂直辺は電気電子機器収納用箱の縦フレームに取付けるための第２取付孔を備えるとともに、連結ボルトの貫通孔を備え、第１垂直辺と第２垂直辺との折曲中心線から第１取付孔までの距離を、折曲中心線から第２取付孔までの距離よりも長くしたことを特徴とするものである。
【０００９】
また請求項２の発明は、請求項１の発明において、第２垂直辺を縦フレームに取付けたときには、第１垂直辺は縦フレームの外面よりも内側に位置し、第１垂直辺を縦フレームに取付けたときには、第２垂直辺は縦フレームの外面と同位置もしくは外側に位置する構造としたものである。
【発明の効果】
【００１０】
本発明の側板取付金具は、第２垂直辺を縦フレームに取付ければ、第１垂直辺を側板取付用のラッチ又はねじとの係合部とすることができ、従来と同様の側板取付金具として使用することができる。また第１垂直辺を縦フレームに取付ければ、第２垂直辺に形成された連結ボルトの貫通孔を用いて、隣接する電気電子機器収納用箱の縦フレームどうしを連結固定することができる。しかも折曲中心線から第１取付孔までの距離を折曲中心線から第２取付孔までの距離よりも長くしてあるので、側板取付金具として使用する場合には第１垂直辺を縦フレームの外面よりも内側に位置させ、連結金具として使用する場合には第２垂直辺を縦フレームの外面と同位置もしくは外側に位置させることができる。このように、同一の金具を側板取付金具としても連結金具としても使用することができ、部品点数を削減することができる。
【図面の簡単な説明】
【００１１】
【図１】本発明の実施形態を示す斜視図である。
【図２】電気電子機器収納用箱の斜視図である。
【図３】側板取付金具の使用法を説明する斜視図である。
【図４】側板取付金具の使用法を説明する水平断面図である。
【図５】連結金具としての使用法を説明する斜視図である。
【図６】連結金具としての使用法を説明する水平断面図である。
【図７】連結状態を示す水平断面図である。
【発明を実施するための形態】
【００１２】
以下に本発明の好ましい実施形態を説明する。
図１は本発明の実施形態を示す斜視図であり、１は第１垂直辺、２は第２垂直辺である。本発明の側板取付金具は金属板を断面Ｌ字状に折曲成形したものであり、第１垂直辺１と第２垂直辺２とは直角である。
【００１３】
第１垂直辺１には電気電子機器収納用箱の縦フレームに取付けるための第１取付孔３が形成され、第２垂直辺２には縦フレームに取付けるための第２取付孔４が形成されている。これらの第１取付孔３と第２取付孔４は上下の同一高さの位置に形成されているが、第１垂直辺１と第２垂直辺２との中央の折曲中心線５から第１取付孔３までの距離Ｌ１は、折曲中心線５から第２取付孔４までの距離Ｌ２よりも長くなっている。
【００１４】
また、第１垂直辺１の上下の第１取付孔３の中間位置には小孔６が形成され、側板取付用のラッチとの係合部７となっている。一方、第２垂直辺２の上下の第２取付孔４の中間位置には、連結ボルトの貫通孔８が形成されている。この実施形態の貫通孔８は角根ボルトを挿通することができるように正方形となっているが、その形状は任意である。なおこの貫通孔８は、上下の第２取付孔４よりも外側に形成されている。
【００１５】
以下にこの側板取付金具の使用法を詳細に説明する。
図２は電気電子機器収納用箱を正面側から見た斜視図である。この電気電子機器収納用箱１０は、縦フレーム１１と横フレーム１２と奥行フレーム１３とを組み合わせたフレーム構造であり、扉１４、側板１５、天井板１６等が取り付けられている。各フレームには一定ピッチで取付孔列１７が形成されている。側板１５はパネルラッチ１８によってフレームに取付けられるが、このためには、側板取付金具を縦フレーム１１に取付ける必要がある。
【００１６】
図３はその部分を示す斜視図であり、図４は水平断面図である。これらの図に示されるように、本発明の側板取付金具はその第２垂直辺２を縦フレーム１１の側面に密着させ、第２取付孔４から縦フレーム１１に形成された取付孔列１７に取付ねじ１９を螺合させ、縦フレーム１１の側面に固定される。このとき第１垂直辺１が縦フレーム１１の外面２０よりも内側に位置するように、前記した折曲中心線５から第２取付孔４までの距離Ｌ２は短く設定されている。図４に示すように、側板１５の裏面に取付けられたパネルラッチ１８の係合爪２１は第１垂直辺１の係合部７と係合し、側板１５が強固に取り付けられる。図４の状態では側板１５の内面は縦フレーム１１の外面２０に当接している。なお側板１５を更に強固に固定したい場合には、第１垂直辺１の中央の小孔６を用いてねじ止めすることもできる。
【００１７】
次に、図５、図６、図７を参照しつつ、連結金具としての使用法を説明する。
この場合には側板１５を取り外し、図５、図７に示すように隣接する電気電子機器収納用箱の縦フレーム１１どうしを密着させて連結金具で固定する。
【００１８】
本発明の側板取付金具を連結金具として使用するには、図６のように第１垂直辺１を縦フレーム１１の側面にそれぞれ取付ける。取付は第１取付孔３から取付孔列１７に取付ねじ１９を螺合させることによって行われる。縦フレーム１１への取付位置は側板取付金具として使用する場合と同じであるが、前記したように折曲中心線５から第１取付孔３までの距離Ｌ１はＬ２よりも長く設定されているため、第２垂直辺２は縦フレーム１１の外面２０と同位置もしくはやや外側位置となる。そして第２垂直辺２に形成された貫通孔８に連結ボルト２２を挿通し、ナット２３で金具相互間を締結する。
【００１９】
以上に説明したように、本発明の側板取付金具は図３に示すように側板取付金具としても、また図５に示すように連結金具としても使用することができる。また、縦フレーム１１への取付片を変更することによって、他の片の位置を変えることができるので２種類の金具を用いる必要がなくなり、部品点数の削減とコストダウンが可能となる。
【符号の説明】
【００２０】
１  第１垂直辺
２  第２垂直辺
３  第１取付孔
４  第２取付孔
５  折曲中心線
６  小孔
７  係合部
８  貫通孔
１０  電気電子機器収納用箱
１１  縦フレーム
１２  横フレーム
１３  奥行フレーム
１４  扉
１５  側板
１６  天井板
１７  取付孔列
１８  パネルラッチ
１９  取付ねじ
２０  縦フレームの外面
２１  係合爪
２２  連結ボルト
２３  ナット
【図１】
2014022392.tif 000003
【図２】
2014022392.tif 000004
【図３】
2014022392.tif 000005
【図４】
2014022392.tif 000006
【図５】
2014022392.tif 000007
【図６】
2014022392.tif 000008
【図７】
2014022392.tif 000009